(57)【要約】      （修正有）【課題】比較的容易に封函することができ、かつ粘着テープ等を用いなくても封函状態を比較的確実に保持できる箱体を形成できる箱用シートを提供する。【解決手段】箱用シートは、一枚のシート材から形成され、前壁を構成すると共に、組立状態における下縁近傍に下縁と略平行なスリットが形成される略方形の前板３と、前板３の組立状態における上縁から延出し、組立状態で前板３の内面に重ねられる折返片１０と、折返片１０の延出方向先端縁から延出し、組立状態で底部上に重ねられる舌片１１と、後壁を構成する略方形の後板１と、後板１の組立状態における上縁から延出し、蓋部を構成する蓋板７と、蓋板７の延出方向先端縁から延出し、組立状態で前板３の外面に重ねられる延長片８と、延長片８の延出方向先端縁から延出し、組立状態で上記スリットに挿入される差込片９とを備え、差込片９に舌片１１が嵌合する開口２０が形成されている。【選択図】図１
0003200091.tif 000002
【実用新案登録請求の範囲】
【請求項１】
底部、蓋部、前壁及び後壁を少なくとも有する箱体に組み立て可能であり、一枚のシート材から形成される箱用シートであって、
上記前壁を構成すると共に、組立状態における下縁近傍に下縁と略平行なスリットが形成される略方形の前板と、
上記前板の組立状態における上縁から延出し、組立状態で上記前板の内面に重ねられる折返片と、
上記折返片の延出方向先端縁から延出し、組立状態で上記底部上に重ねられる舌片と、
上記後壁を構成する略方形の後板と、
上記後板の組立状態における上縁から延出し、上記蓋部を構成する蓋板と、
上記蓋板の延出方向先端縁から延出し、組立状態で上記前板の外面に重ねられる延長片と、
上記延長片の延出方向先端縁から延出し、組立状態で上記スリットに挿入される差込片と
を備え、
上記差込片に上記舌片が嵌合する開口が形成されていることを特徴とする箱用シート。
【請求項２】
上記舌片の両側に位置するよう上記折返片の延出側端縁から延出し、組立状態で上記底部上に重ねられる底フランジをさらに備える請求項１に記載の箱用シート。
【請求項３】
上記底フランジが上記舌片の延出側を取り囲む請求項２に記載の箱用シート。
【請求項４】
上記折返片の基端縁に沿う方向の最大幅が、前板の下縁の長さよりも大きい請求項１、請求項２又は請求項３に記載の箱用シート。
【請求項５】
上記前板と折返片との境界に二重罫線が形成されている請求項１から請求項４のいずれか１項に記載の箱用シート。
【考案の詳細な説明】
【技術分野】
【０００１】
本考案は、箱用シートに関する。
【背景技術】
【０００２】
商品包装用の箱体は、その組み立てが容易であり、かつ商品購入者の手に渡るまで封函状態が確実に保持できることが求められる。特に、多品種少量の商品を取り扱うインターネット販売等においてはコストの問題で商品の梱包を自動化することが困難であるため、箱体の組み立て及び封函が容易であることが重要である。
【０００３】
一般的な包装用箱体は、粘着テープを用いて封函することで、輸送中の封函状態を保持する。しかしながら、粘着テープは、貼り方を誤ると貼り直しをすることが容易ではなく、包装資材のロスが発生するおそれがある。このため、粘着テープによる封函には、慎重さが要求される。
【０００４】
粘着テープを用いずに封函状態を保持できる包装用箱体としては、蓋板の延出方向先端縁から延出するフラップを側板に沿って箱体内に挿し込むよう構成された箱体において、フラップの基端縁側に凸状の舌片を形成し、フラップが内面に沿って差し込まれる側板の上縁に折返し片を延設し、この折り返し片に上記フラップの舌片と係合するスリットを設けたものが提案されている（特開２０１４−１０８８１９号公報参照）。
【０００５】
上記公報に記載の箱体では、舌片がフラップから引き起こした状態に保持されるよう折り癖をつけた状態でフラップを差し込まなければ、舌片のスリットへ嵌合によるフラップの係止、つまり封函状態の保持が不確実となるおそれがある。
【先行技術文献】
【特許文献】
【０００６】
【特許文献１】特開２０１４−１０８８１９号公報
【考案の概要】
【考案が解決しようとする課題】
【０００７】
上記事情に鑑みて、本考案は、比較的容易に封函することができ、かつ粘着テープ等を用いなくても封函状態を比較的確実に保持できる箱体を形成できる箱用シートを提供することを課題とする。
【課題を解決するための手段】
【０００８】
上記課題を解決するためになされた考案は、底部、蓋部、前壁及び後壁を少なくとも有する箱体に組み立て可能であり、一枚のシート材から形成される箱用シートであって、上記前壁を構成すると共に、組立状態における下縁近傍に下縁と略平行なスリットが形成される略方形の前板と、上記前板の組立状態における上縁から延出し、組立状態で上記前板の内面に重ねられる折返片と、上記折返片の延出方向先端縁から延出し、組立状態で上記底部上に重ねられる舌片と、上記後壁を構成する略方形の後板と、上記後板の組立状態における上縁から延出し、上記蓋部を構成する蓋板と、上記蓋板の延出方向先端縁から延出し、組立状態で上記前板の外面に重ねられる延長片と、上記延長片の延出方向先端縁から延出し、組立状態で上記スリットに挿入される差込片とを備え、上記差込片に上記舌片が嵌合する開口が形成されていることを特徴とする。
【０００９】
当該箱用シートは、上記蓋板から延出する延長片の突出側端縁に延設される差込片を、前板の下縁近傍に形成されるスリットに挿入することによって、比較的容易に封函できる箱体を形成することができる。また、当該箱用シートを組み立ててなる箱体は、上記前板上縁から延出する前板の内面に重ねられる折返片の延出方向先端縁から延出し、組立状態で上記底部上に重ねられる舌片が、上記差込片に形成される開口に嵌合することで、差込片がスリットから抜け出ることを防止することができる。従って、当該箱用シートは、粘着テープ等を用いなくても封函状態を比較的確実に保持できる箱体を形成できる。なお、「下縁近傍」とは、下縁との間隔がシート材の平均厚さの３倍以下、好ましくは２倍以下である範囲を意味し、スリットが下縁を包含する場合も含む。また、「略平行」とは、両者の間の角度が５°以下、好ましくは３°以下であることを意味する。また、「略方形」とは、外接する最小の方形の面積の９０％以上、好ましくは９５％以上の面積を有することを意味する。
【００１０】
上記舌片の両側に位置するよう上記折返片の延出方向先端縁から延出し、組立状態で上記底部上に重ねられる底フランジをさらに備えるとよい。このように、上記舌片の両側に位置するよう上記折返片の延出方向先端縁から延出し、組立状態で上記底部上に重ねられる底フランジをさらに備えることによって、当該箱用シートを組み立ててなる箱体に収容した品物が底フランジの上に載置されるため、箱体内の品物が差込片の先端縁に当接して差込片の挿入を阻害することを防止できる。
【００１１】
上記底フランジが上記舌片の延出側を取り囲むとよい。このように、上記底フランジが上記舌片の延出側を取り囲むよう形成されることによって、箱体内の品物が差込片の挿入を阻害することをより確実に防止できる。
【００１２】
上記折返片の基端縁に沿う方向の最大幅が、前板の下縁の長さよりも大きいとよい。このように、上記折返片の基端縁に沿う方向の最大幅が、前板の下縁の長さよりも大きいことによって、折返片の両側縁が当該箱用シートを組み立ててなる箱体の側壁の内面に圧接され、折返片を前板の内面に密着状態に折り返した状態を保持することができる。これにより、舌片をスリットの近傍の所定位置に比較的正確に配置することができ、差込片の開口への舌片の嵌合をより確実にすることができる。
【００１３】
上記前板と折返片との境界に二重罫線が形成されているとよい。このように、上記前板と折返片との境界に二重罫線が形成されていることによって、シート材の弾性による復原を抑制し、折返片を前板の内面に密着させることが容易となる。
【考案の効果】
【００１４】
上述のように、本考案の箱用シートは、比較的容易に封函することができ、かつ粘着テープ等を用いなくても封函状態を比較的確実に保持できる箱体を形成できる。
【図面の簡単な説明】
【００１５】
【図１】本考案の一実施形態の箱用シートを示す模式的平面図（展開図）である。
【図２】図１の箱用シートを組み立ててなる箱体を示す模式的斜視図である。
【図３】図２の箱体の模式的断面図である。
【図４】本考案の図１とは異なる実施形態の箱用シートを示す模式的平面図（展開図）である。
【考案を実施するための形態】
【００１６】
以下、適宜図面を参照しつつ、本考案の実施の形態を詳説する。
【００１７】
［第一実施形態］
図１に示す本考案の一実施形態の箱用シートは、一枚のシート材から形成され、図２に示すように底部、蓋部、並びに前壁、後壁及び一対の側壁を含む周壁部を有する箱体に組み立てることができる。なお、図１において、太い実線はシート材を切断したエッジを示し（破線状に見える部分はミシン目状にシート材を切断した部分である）、細い実線はシート材の当該箱用シートの組立状態で主に箱体の内側に配置される側の面に型押しして形成した罫線を示す。
【００１８】
当該箱用シートを構成するシート材としては、例えば段ボールシート、プラスチックボード、ボール紙等を用いることができ、中でも段ボールシートが好適に用いられる。
【００１９】
上記段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２０】
図１の箱用シートは、組立状態の箱体において上記後壁を構成する略方形の後板１、上記一対の側壁の一方を構成する略方形の第１の側板２、上記前壁を構成する略方形の前板３、上記一対の側壁の他方を構成する略方形の第２の側板４、及び後壁１と第２の側板４とを接続する継しろ５がこの順番に左右方向に連設されてなり、組立状態で上記周壁部を構成する周壁構成部６を備える。
【００２１】
また、当該箱用シートは、上記後板１の組立状態における上縁から延出し、組立状態の箱体において上記蓋部を構成する蓋板７と、この蓋板７の延出方向先端縁から延出し、組立状態で上記前板３の外面に重ねられる延長片８と、この延長片８の延出方向先端縁から延出する差込片９と、上記前板３の上縁から延出し、組立状態で前板３の内面に重ねられる折返片１０と、この折返片１０の延出方向先端縁から延出し、組立状態で上記箱体の底部上に重ねられる舌片１１と、この舌片１１の両側に位置するよう折返片１０の延出方向先端縁から延出し、組立状態で上記箱体の底部上に重ねられる底フランジ１２とをさらに備える。また、当該箱用シートは、上記第１の側板２及び第２の側板４の上縁からそれぞれ延出する蓋フラップ１３，１４をさらに備える。
【００２２】
なお、本明細書において、「上」及び「下」とは、当該箱用シートの組立状態において蓋部側を「上」、底部側を「下」とする方向を意味し、「左右」とは上下方向に直交する方向を意味する。
【００２３】
また、当該箱用シートは、上記後板１及び前板３の下縁からそれぞれ延出する主底フラップ１５，１６と、上記第１の側板２及び第２の側板４の下縁からそれぞれ延出する補助底フラップ１７，１８とをさらに備える。これらの主底フラップ１５，１６及び補助底フラップ１７，１８は、組立状態の箱体において上記底部を形成するよう組み合わされる。
【００２４】
上記前板３には、下縁近傍に下縁と略平行なスリット１９が形成されている。このスリット１９には、組立状態で上記差込片９が挿入される。また、差込片９には、図３に示すように、差込片９をスリット１９に挿入したときに上記舌片１１が嵌合する開口２０が形成されている。
【００２５】
〔周壁構成部〕
周壁構成部６は、後板１と第１の側板２との間及び前板３と第２の側板４との間でそれぞれ折り返され、後板１の端部裏面に継しろ５を貼り合わせることによって無端状に接続される。後板１と継しろ５との貼り合わせは、例えば接着剤、ステープラー等を用いて行うことができる。当該箱用シートは、通常、この後板１と継しろ５とを貼り合わせたときの状態つまり、周壁構成部６を四角筒状に拡げていない折り畳み状態でユーザーに提供される。
【００２６】
＜前板＞
前板３には、下縁近傍に下縁に略平行なスリット１９が形成されている。つまり、スリット１９は、前板３の下縁に沿って左右方向に延在するよう形成される。このスリット１９は、組立状態で主底フラップ１６の上面に差込片９を密着させられるよう、前板３の下縁を分断するよう形成されるとよい。
【００２７】
（スリット１９）
上記スリット１９は、前板３の下縁に沿う方向の長さが差込片９の基端縁の長さと略等しいことが好ましい。このように、上記スリット１９の左右方向の長さが差込片９の基端縁の長さと略等しいことによって、当該箱用シートの組立状態でスリット１９の両端縁が差込片９の両側縁を挟み込み、差込片９の左右方向の遊びを小さくすることができる。
【００２８】
スリット１９の上記長さは、差込片９の基端縁の長さと略等しいことが好ましい。スリット１９の上記長さが差込片９の基端縁の長さよりも小さいと、スリット１９への差込片９の挿入が困難となるおそれがある。逆に、スリット１９の上記長さが差込片９の基端縁の長さよりも大きいと、当該箱用シートを組み立ててなる箱体の隙間が不必要に大きくなるおそれや、当該箱用シートを組み立ててなる箱体が変形しやすくなるおそれがある。
【００２９】
また、スリット１９は、中央部の幅（上下方向の高さ）が大きく両端部の幅が小さくなるよう形成されるとよい。つまり、スリット１９は、中央部の幅を大きくすることによって差込片９の挿入を容易化すると共に、両端部の幅を小さくすることによって当該箱用シートの組立状態で差込片９の上下方向の遊びが小さくなるよう差込片９の両端部を挟み込むことができる。
【００３０】
スリット１９の両端部の幅の下限としては、当該箱用シートを形成するシート材の平均厚さの１倍が好ましく、１．５倍がより好ましい。一方、スリット１９の両端部の幅の上限としては、当該箱用シートを形成するシート材の平均厚さの３倍が好ましく、２．５倍がより好ましい。スリット１９の両端部の幅が上記下限に満たない場合、差込片９を挿入することが容易でなくなるおそれがある。逆に、スリット１９の両端部の幅が上記上限を超える場合、当該箱用シートを組み立ててなる箱体の隙間が不必要に大きくなるおそれや、舌片１１が差込片９の開口２０から脱離し易くなるおそれがある。
【００３１】
スリット１９中央部の幅と両端部の幅との差の下限としては、当該箱用シートを形成するシート材の平均厚さの０．５倍が好ましく、１倍がより好ましい。一方、スリット１９中央部の幅と両端部の幅との差の上限としては、当該箱用シートを形成するシート材の平均厚さの３倍が好ましく、２．５倍がより好ましい。スリット１９中央部の幅と両端部の幅との差が上記下限に満たない場合、差込片９のスリット１９への挿入を容易化することができないおそれがある。逆に、スリット１９中央部の幅と両端部の幅との差が上記上限を超える場合、当該箱用シートを組み立ててなる箱体の隙間が不必要に大きくなるおそれがある。
【００３２】
＜蓋板＞
蓋板７は、延出長さが側板２，４の左右方向の長さと略等しい方形状に形成され、当該箱用シートを組み立ててなる箱体において周壁構成部６から形成される四角筒状部の上端を封止する。より詳しくは、蓋板７は、当該箱用シートを組み立ててなる箱体の蓋フラップ１３，１４を内側に折り曲げた状態で、この蓋フラップ１３，１４の上面に折り重ねられる。
【００３３】
＜延長片＞
延長片８は、蓋板７と差込片９とを接続し、差込片９がスリット１９への挿入状態で係止されたとき、蓋板７を箱体の上部開口を封止する封函状態を保持する。従って、延長片８の蓋体７からの延出長さは、前板３の高さと略等しい。
【００３４】
この延長片８の形状としては、蓋板７の延出方向先端縁を下底とし、差込片９の基端縁を上底とする台形状、好ましくは差込片９を前壁３の幅方向中央に配置するよう等脚台形状とすることができる。
【００３５】
＜差込片＞
差込片９の外形形状としては、当該箱用シートを組み立ててなる箱体を封止した状態でスリット１９により確実に把持できるよう、基端縁の近傍が一定の幅を有し、かつ、スリット１９に挿し込みやすいよう延出側先端に向かって幅が徐々に減じられていることが好ましい。
【００３６】
差込片９の延長片８からの最大延出長さの下限としては、２５ｍｍが好ましく、３０ｍｍがより好ましい。一方、差込片９の延長片８からの最大延出長さの上限としては、８０ｍｍが好ましく、６０ｍｍがより好ましい。差込片９の延長片８からの最大延出長さが上記下限に満たない場合、舌片１１と確実に嵌合可能な開口２０を形成することが困難となるおそれがある。逆に、差込片９の延長片８からの最大延出長さが上記上限を超える場合、当該箱用シートを切り抜くシート材の原版寸法が不必要に大きくなるおそれや、舌片１１が例えば補助底フラップ１８等と干渉するおそれがある。
【００３７】
差込片９の基端縁における幅の下限としては、５ｃｍが好ましく、７ｃｍがより好ましい。一方、差込片９の基端縁における幅の上限としては、１５ｃｍが好ましく、１０ｃｍがより好ましい。差込片９の基端縁における幅が上記下限に満たない場合、開口２０ひいては舌片１１の大きさが不十分となり、当該箱用シートを組み立ててなる箱体の封函状態の保持が不確実となるおそれがある。逆に、差込片９の基端縁における幅が上記上限を超える場合、スリット１９の長さが長くなることにより、当該箱用シートを組み立ててなる箱体の強度が不十分となるおそれがある。
【００３８】
（開口）
差込片９の開口２０は、舌片１１と確実に係合するために、延出方向先端側の周縁が舌片１１の延出方向先端縁に倣う形状とされることが好ましい。また開口２０は、舌片１１と確実に係合するために、差込片９の基端縁に沿う左右方向の幅が差込片９の延出側に向かって単調減少する形状とされることが好ましい。
【００３９】
また、開口２０は、舌片１１を受け入れやすいよう、差込片９の基端縁側の周縁が差込片９の基端縁と略平行な直線状に形成されることが好ましい。また、開口２０は、スリット１９から露出しないよう、差込片９の基端縁との間に間隔を空けて形成されることが好ましい。開口２０と差込片９の基端縁との平均間隔の下限としては、当該箱用シートを形成するシート材の平均厚さの２倍が好ましく、３倍がより好ましい。一方、開口２０と差込片９の基端縁との平均間隔の上限としては、当該箱用シートを形成するシート材の平均厚さの１０倍が好ましく、８倍がより好ましい。開口２０と差込片９の基端縁との平均間隔が上記下限に満たない場合、当該箱用シートを組み立ててなる箱体の隙間が大きくなるおそれがある。逆に、開口２０と差込片９の基端縁との平均間隔が上記上限を超える場合、開口２０の延長片８側の周縁が舌片１１に当接し、舌片１１の開口２０への嵌合を阻害するおそれがある。
【００４０】
開口２０の最大幅（好ましくは差込片９の基端縁側の端縁の長さ）の下限としては、２ｃｍが好ましく、３ｃｍがより好ましい。一方、開口２０の最大幅の上限としては、１０ｃｍが好ましく、７ｃｍがより好ましい。開口２０の最大幅が上記下限に満たない場合、舌片１１の幅が小さくなり、当該箱用シートを組み立ててなる箱体の封函状態の保持が不確実となるおそれがある。逆に、開口２０の最大幅が上記上限を超える場合、差込片９が不必要に大型化するおそれや、差込片９の強度が不十分となるおそれがある。
【００４１】
開口２０の差込片９の延出方向の最大長さの下限としては、８ｍｍが好ましく、１２ｍｍがより好ましい。一方、開口２０の差込片９の延出方向の最大長さの上限としては、５ｃｍが好ましく、３ｃｍがより好ましい。開口２０の差込片９延出方向の最大長さが上記下限に満たない場合、舌片１１の嵌合が不確実となるおそれがある。逆に、開口２０の差込片９の延出方向の最大長さが上記上限を超える場合、差込片９が不必要に大型化するおそれや、差込片９の強度が不十分となるおそれがある。
【００４２】
（開封容易部）
当該箱用シートは、蓋板７及び延長片８の中、つまり後板１の上縁から差込片９の基端縁までの間に、当該箱用シートを横断する開封容易部２１が形成される。当該箱用シートを組み立ててなる箱体は、この開封容易部２１におけるシート材の切断により、差込片９を、開封容易部の構成によっては蓋板７及び延長片８の一部と共に、箱用シートの他の部分から分離して蓋板７の残部を立ち上げて比較的容易に開封することができる。
【００４３】
開封容易部２１は、当該箱用シートを形成するシート材に断続的に切り込みを入れた切断容易線２２と、この切断容易線２２に接続され、ユーザーが把持可能に形成される破断開始片２３とを有する構成とすることができる。
【００４４】
具体的には、図１の箱用シートにおいて、開封容易部２１は、上向きに引き上げられる延長片８に形成される摘み状の破断開始片２３と、破断開始片２３の上端左右両側からそれぞれ外側上方に斜めに延伸し、そのまま直線的に蓋板７の側縁に至る一対の切断容易線２２とを有するものとされている。この開封容易部２１は、ユーザーが破断開始片２３を把持して上方に引き上げる動作により、切断容易線２２の切断を誘起すると同時に、蓋板７を後板１の上方に立ち上げることができるので、開封のための動作が少なくて済む。
【００４５】
＜折返片＞
折返片１０は、前板３の内面に重ねられるよう折り返されることによって、舌片１１の基端縁をスリット１９の上部に配置する。この折り返しを容易にし、当該箱用シートを形成するシート材の弾性による復原を抑制するために、図１に示すように、折返片１０と前板３との境界には、二重罫線２４が形成されていることが好ましい。この二重罫線２４の幅（罫線の間隔）としては、当該箱用シートを形成するシート材の平均厚さの１．５倍以上３倍以下とすることが好ましい。
【００４６】
この折返片１０は、少なくとも部分的に、好ましくは延出方向先端側において、基端縁方向（左右方向）の幅が前板３の下縁の長さ（左右方向の幅）よりも大きいことが好ましい。このように、折返片１０の左右方向の最大長さを前板３の下縁の長さよりも大きくすることによって、折返片１０の側縁が側板２，４の内面に圧接され、折返片１０を前板３の内面に重ねた状態を保持することができる。特に、折返片１０の延出方向先端縁近傍領域から底フランジ１２の基端縁近傍領域までの左右方向の幅を前板３の下縁の長さよりも大きくすれば、折返片１０に対する底フランジ１２の屈曲により、側板２，４の内面に圧接する部分の左右方向の座屈強度を向上することができ、折返片１０の折返し状態の保持をより確実にすることができる。
【００４７】
＜舌片＞
舌片１１は、当該箱用シートの組立状態において、当該箱用シートを形成するシート材の弾性によって箱体の底部に向かって付勢され、スリット１９に挿入された差込片９の開口２０に嵌合することにより、差込片９がスリット１９から引き抜かれることを防止する。つまり、当該箱用シートを組み立ててなる箱体は、一度差込片９をスリット１９に挿入して封函状態としたならば、通常の手段では差込片９をスリット１９から引き抜くことできない。従って、当該箱用シートを組み立ててなる箱体は、例えば粘着テープ等を用いなくても封函状態を比較的確実に保持することができる。
【００４８】
舌片１１は、開口２０との左右方向の位置を合わせられるよう、先端縁が山形に形成され、先端に角部を有するとよい。舌片１１の先端の角度としては、例えば１００°以上１５０°以下とすることができる。舌片１１の先端の角度が上記下限に満たない場合、舌片１１の先端部の強度が不十分となるおそれがある。逆に、舌片１１の先端の角度が上記上限を超える場合、舌片１１と開口２０との位置合わせ効果が不十分となるおそれがある。
【００４９】
＜底フランジ＞
底フランジ１２は、差込片９をスリット１９に挿入したとき、差込片９の上側を覆い、当該箱用シートを組み立ててなる箱体に収容した品物が、差込片９に当接することを防止し、差込片９の挿入を容易にする。従って、底フランジ１２は、少なくとも、折返片１０の延出方向先端縁の舌片１１の左右方向両側からそれぞれ、舌片１１の延出長さ以上の延出長さであればよい。
【００５０】
また、底フランジ１２は、箱体に収容した品物に差込片９が干渉することを防止するために、図１に示すように、舌片１１の延出側を取り囲むことがさらに好ましい。換言すると、差込片９は、折返片１０の延出方向先端縁の２点間を屈曲して結ぶよう底フランジ１２内に形成した切断線によって、底フランジ１２から分離されることで形成される。
【００５１】
また、底フランジ１２は、図１に示すように、舌片１１の折返片１０の延出方向先端縁を軸とする底フランジ１２に対する搖動を阻害しないよう、舌片１１の先端縁近傍領域が切除されていることが好ましい。
【００５２】
また、底フランジ１２の基端縁には、ミシン目状の切り込みを設けるとよい。これによって、当該箱用シートを形成するシート材の弾性を低減し、底部に向かう圧接力を低減することにより、差込片９を挿入する際の摩擦を低減することができる。
【００５３】
＜蓋フラップ＞
蓋フラップ１３，１４は、当該箱用シートを組み立ててなる箱体において、側板２，４に対して折曲げられ、互いの延出方向先端縁を突き合わせるようにして箱体の上部開口を封止する。つまり蓋フラップ１３，１４は、蓋板７の内側に配置される内蓋を構成する。
【００５４】
蓋フラップ１３，１４は、延出側の端部中央に、開封時にユーザーが指をかけられる切り欠きが形成されている。
【００５５】
＜底フラップ＞
主底フラップ１５，１６及び補助底フラップ１７，１８は、いわゆるワンタッチタイプの底部を形成するよう構成されている。具体的には、主底フラップ１５，１６の左右方向一方側に、基端縁の端部を通り、基端縁に４５°傾斜して形成される罫線によって折返部２５，２６が画定されている。当該箱用シートは、主底フラップ１５，１６及び補助底フラップ１７，１８を周壁構成部６の内面側に折り返し、さらに上記折返部２５，２６を主底フラップ１５，１６の外面側（周壁構成部６の内面側）に折り返して、この折返部２５，２６内面に補助底フラップ１７，１８の外面が予め接着される。これにより、当該箱用シートは、折り畳み状態でユーザーに提供され、ユーザーが周壁構成部６を四角筒状に拡げることで、主底フラップ１５，１６及び補助底フラップ１７，１８が適切に組み合わされて箱体の底部を形成する。
【００５６】
また、上述のように、主底フラップ１５，１６及び補助底フラップ１７，１８は、周壁構成部６の内面側に折り返した状態とされるため、主底フラップ１５，１６及び補助底フラップ１７，１８と後板１、前板３及び側板２，４との境界には、シート材の折り曲げをより確実にするために二重罫線が形成されている。
【００５７】
＜利点＞
当該箱用シートは、蓋板７から延出する延長片８の突出側端縁に延設される差込片９を、前板３の下縁近傍に形成されるスリット１９に挿入することによって、比較的容易に封函できる箱体を形成することができる。
【００５８】
また、当該箱用シートを組み立ててなる箱体は、舌片１１が、差込片９に形成される開口２０に嵌合することで、差込片９がスリット１９から抜け出ることを防止することができる。従って、当該箱用シートは、粘着テープ等を用いなくても封函状態を比較的確実に保持できる箱体を形成できる。
【００５９】
［第二実施形態］
図４に示す本考案の図１とは異なる実施形態の箱用シートは、一枚のシート材から形成され、底部、蓋部、並びに前壁、後壁及び一対の側壁を含む周壁部を有する箱体に組み立てることができる。
【００６０】
図４の箱用シートを構成するシート材としては、図１の箱用シートを構成するシート材と同様のものを用いることができる。
【００６１】
図４の箱用シートは、組立状態の箱体において上記底部を構成する略方形の底板３１と、この底板３１の前縁から延出し、略方形で上記前壁を構成する前板３２と、底板３１の後縁から延出し、略方形で上記後壁を構成する後板３３と、底板３１の両側縁からそれぞれ延出する略方形の一対の側板３４，３５とを備える。
【００６２】
上記前板３２は、下縁近傍に、組立状態で下縁と略平行なスリットを形成する切り込み３６が設けられている。より詳しくは、切り込み３６は、前板３２の下縁に略平行に左右方向に延在する直線部と、この直線部の両端から下方に延出して下縁に達する一対の端縁部とを有する。当該箱用シートを組み立てると、切り込み３６に囲まれる部分を残して前板３２が底板３１に対して立ち上げられる結果、前板３２の下縁近傍にスリットが形成される。一方、切り込み３６に囲まれる領域は、組立状態で底板３１から延出し、前板３２よりも前方に突出する案内突起を形成し、後述する差込片をスリットに挿し込みやすいよう案内する。
【００６３】
また、図４の箱用シートは、前板３２の上縁から延出し、組立状態で３１前板の内面に重ねられる折返片３７と、折返片３７の延出方向先端縁から延出し、組立状態で底板３１の上に重ねられる舌片３８と、舌片３８の両側に位置するよう折返片３７の延出方向先端縁から延出し、舌片３８の延出側を取り囲むと共に、組立状態で底板３１の上に重ねられる底フランジ３９と、後板３３の上縁から延出し、上記蓋部を構成する略方形の蓋板４０と、蓋板４０の延出方向先端縁から延出し、組立状態で前板３２の外面に重ねられる延長片４１と、延長片４１の延出方向先端縁から延出し、前板３２のスリットに挿入される差込片４２とをさらに備える。
【００６４】
差込片４２は、当該箱用シートの組立状態で、差込片４２を前板３２のスリットに挿入したときに舌片３８が嵌合する開口４３が形成されている。この舌片３８の開口４３への嵌合により、当該箱用シートを組み立ててなる箱体では、一度差込片４２を前板３２のスリットに挿入すると、差込片４２をスリットから引き抜くことが困難となる。つまり、当該箱用シートを組み立ててなる箱体は、差込片４２を前板３２のスリットに挿入するだけで、粘着テープ等の他の部材を使用することなく封函することができる。
【００６５】
また、図４の箱用シートは、一対の側板３４，３５の上縁からそれぞれ延出する蓋フランジ４４，４５と、一対の側板３４，３５の前板３２側の側縁からそれぞれ延出する一対の折込片４６，４７と、一対の側板３４，３５の後板３３側の側縁からそれぞれ延出する一対の接続片４８，４９とをさらに備える。
【００６６】
一対の蓋フランジ４４，４５は、当該箱用シートを組み立ててなる箱体の封函状態で、蓋板４０の両側下面に当接し、箱体の隙間を低減する。
【００６７】
一対の折込片４６，４７は、当該箱用シートの組立状態で、前板３２と折返片３７との間に挟み込まれることで、一対の側板３４，３５の前側部分を底板３１に対する直立状態に保持する。なお、折込片４６，４７は、差込片４２と干渉しないよう、組立状態で前板３２のスリットと重複する部分が切り欠かれている。
【００６８】
一対の接続片４８，４９は、当該箱用シートの組立状態で、後板３３の内面に重ねるよう配置されて、互いに咬合するよう形成されている。つまり、当該箱用シートを組み立ててなる箱体では、接続片４８，４９が互いに係合することにより、一対の側板３４，３５の後側部分を底板３１に対する直立状態に保持する。
【００６９】
図４の箱用シートにおける折返片３７、舌片３８、底フランジ３９、蓋板４０、延長片４１及び差込片４２の構成については、図１の箱用シートにおける折返片１０、舌片１１、底フランジ１２、蓋板７、延長片８及び差込片９と同様とすることができる。
【００７０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００７１】
当該箱用シートにおける底部の構成は、特に限定されず、例えばいわゆるアメリカンロック式等、任意の構成を採用することができる。また、当該箱用シートにおいて、組立状態で周壁を形成するための構成も、特に限定されず、例えば前板及び後板と側板との間を接続片で接続した構成等、任意の構成を採用することができる。
【００７２】
当該箱用シートは、底フランジを有しないものであってもよい。
【００７３】
また、当該箱用シートにおいて、折返片を前板の内面に折り返した状態を保持する手段としては、折返片最大幅を前板よりも大きくする以外に、例えば、底板にスリットを形成し、折返片の延出側端部に上記スリットに係合する凸部を形成する構成等、任意の構成を採用することができる。また、折返片を前板の内面に折り返した状態を保持する手段を省略してもよい。
【００７４】
当該箱用シートにおいて、開封容易部は必須ではない。また、開封容易部の構成としては、特に限定されず、例えば延長片又は蓋板を左右方向に横断する一対の破断容易線から形成されるジッパー等、任意の構成を採用することができる。
【産業上の利用可能性】
【００７５】
本考案に係る箱用シートは、包装用箱として好適に利用することができる。
【符号の説明】
【００７６】
１  後板
２，４  側板
３  前板
５  継しろ
６  周壁構成部
７  蓋板
８  延長片
９  差込片
１０  折返片
１１  舌片
１２  底フランジ
１３，１４  蓋フラップ
１５，１６  主底フラップ
１７，１８  補助底フラップ
１９  スリット
２０  開口
２１  開封容易部
２２  切断容易線
２３  破断開始片
２４  二重罫線
２５，２６  折返部
３１  底板
３２  前板
３３  後板
３４，３５  側板
３６  切り込み
３７  折返片
３８  舌片
３９  底フランジ
４０  蓋板
４１  延長片
４２  差込片
４３  開口
４４，４５  蓋フランジ
４６，４７  折込片
４８，４９  接続片
【図１】
0003200091.tif 000003
【図２】
0003200091.tif 000004
【図３】
0003200091.tif 000005
【図４】
0003200091.tif 000006